(57)【要約】【課題】  光源近傍で輝度ムラ、バックライトを斜視したとき光源を起点とした輝線が発生する。【解決手段】  導光板１の矩形形状の一方の短辺近傍に光源ＬＥＤ２を配置し、導光板１の出射面１ａ側にプリズムシート３、放射面２ｂ側に反射シート４を配置したバックライト装置で、反射シート４は、光源ＬＥＤ２近傍の所定の範囲（例えば光源からＬ＝３ｍｍ以下）に、帯状に印刷された艶消しの白色散乱面で形成された光散乱領域４ａと、光散乱領域４ａを除く領域は光沢のある金属的鏡面を設ける。反射シート４に設けた光散乱領域は帯状に形成されているので、ＬＥＤ点光源が線光源に変換され、バックライトを斜視したとき、光源を起点とする輝線の発生を防止することができる。また、光源間の輝度ムラがなくなり導光板からの出射光が均一になる。【選択図】    図１
2005317474.tif 000002
【特許請求の範囲】
【請求項１】
透明なプラスチック部材よりなり平面が略矩形形状をした板状の導光板と、該導光板は一方の広い平面に出射面を形成し、該出射面と対向する面に光源からの光を反射させるための拡散面を形成し、前記導光板の矩形形状の一方の短辺近傍に光源を配置し、前記導光板の出射面側にプリズムシート、拡散面側に反射シートを配置したバックライト装置において、前記反射シートは、光を反射させる反射領域を有し、光源近傍の所定の範囲に、光を散乱させる機能を有する光散乱領域を設けたことを特徴とするバックライト装置。
【請求項２】
前記反射シートに形成された光散乱領域は、前記光源から３ｍｍ以下の帯状の領域であることを特徴とする請求項1記載のバックライト装置。
【請求項３】
前記反射シートに形成された光散乱領域は、印刷された艶消しの白色散乱面であることを特徴とする請求項1または２記載のバックライト装置
【請求項４】
前記反射シートは、前記光沢のない白色散乱面と、光沢のある金属的鏡面とを有することを特徴とする請求項１ないし３のいずれかに記載のバックライト装置。
【請求項５】
前記光源は１個もしくは複数個の白色ＬＥＤであることを特徴とする請求項１ないし４のいずれかに記載のバックライト装置。
【発明の詳細な説明】
【技術分野】
【０００１】
本発明は、透過型または半透過型パネルを背面より照射するバックライト装置に関するものである。
【背景技術】
【０００２】
近年、ラップトップ型または、ブック型のワードプロセッサやコンピュータなどの表示装置として、薄型でしかも見易いバックライト装置を有する液晶表示装置が用いられている。このようなバックライト装置の構成として、導光板の一辺に近接または結合される基板に表面実装型のＬＥＤアレイ光源を持つエッジライト方式のパネル用の光源ユニットで、導光板の出射面側に液晶表示装置を配設したバックライト装置が用いられるようになった。（例えば、特許文献１参照）
【特許文献１】特開２００１−２２９７２５号公報（第２頁、図４〜６）  上記した特許文献１に開示されているバックライト装置の概要について説明する。図５は、導光板の短辺にＬＥＤを配設した状態の平面図、図６は、バックライト装置の断面図、図７は、反射シートの平面図、図８は、図６のＬＥＤ近傍の光路を示す断面図、図９は、図５の導光板の出射面の斜視図である。図５〜図９において、導光板２０は、透明なプラスチック部材などよりなる平面が略矩形形状をしており、その一方の広い面を出射面２０ａと、該出射面２０ａと対向する面には光源ＬＥＤ２１からの光を対向する上面に反射させるための放射手段として、その表面全面に、複数の微小なシボまたは点状ドット、または所定の傾斜角を有するプリズムや印刷等の拡散面２０ｂを形成する。
【０００３】
また、前記導光板２０の出射面２０ａ側に、プリズムシート２２を配設する。該プリズムシート２２は、片面に複数のマイクロプリズム２２ａがシートの一辺に平行に形成されている輝度上昇フイルムとしてのプリズムシートである。該プリズムシート２２は表示パネルに対応した大きさで、プリズムの凸部が導光板20側に向くように配設されている。
【０００４】
前記導光板２０の光拡散面２０ｂに接近して全面が光沢のある金属的鏡面２３ａを有する反射シート２３を配設する。光源ＬＥＤ２１から出射される光は、前記導光板２０に入射し、導光板２０内で反射を繰り返して伝播される。導光板２０の底に設けられた光拡散面２０ｂで反射もしくは屈折した光が導光板２０の出射面２０ａから出射される。さらに、前記拡散面２０ｂを透過した光は、前記反射シート２３の金属的鏡面２３ａで反射して、導光板２０の出射面２０ａより出射され、前記プリズムシート２２を通過するときプリズム面で全反射して輝度が上昇される。プリズムシート２２から出射した光は、図示しない液晶パネルへと向かい液晶パネルを照明する。
【発明の開示】
【発明が解決しようとする課題】
【０００５】
解決しようとする問題点は、図５、図９に示すように、バックライトの光源にＬＥＤ２１を用いることが多く、この光源は点光源のため、隣接するＬＥＤ２１間に暗い所（図中Ａ）ができ、光源近傍に輝度ムラが発生し易い。また、ＬＥＤ２１からの光は、全方位に発散される光であり、導光板２０やプリズムシート２２などのプリズム固有の値により、光を透過する場合と、反射する場合に分かれてしまう。このため、ある特殊な方向からバックライトを見た場合にＬＥＤ２１から発せられている輝線などが見える場合がある。などの問題があった。
【課題を解決するための手段】
【０００６】
上記課題を解決するために、本発明におけるバックライト装置は、透明なプラスチック部材よりなり平面が略矩形形状をした板状の導光板と、該導光板は一方の広い平面に出射面を形成し、該出射面と対向する面に光源からの光を反射させるための拡散面を形成し、前記導光板の矩形形状の一方の短辺近傍に光源を配置し、前記導光板の出射面側にプリズムシート、拡散面側に反射シートを配置したバックライト装置において、前記反射シートは、光を反射させる反射領域を有し、光源近傍の所定の範囲に、光を散乱させる機能を有する光散乱領域を設けたことを特徴とするものである。
【０００７】
また、前記反射シートに形成された光散乱領域は、前記光源から３ｍｍ以下の帯状の領域であることを特徴とするものである。
【０００８】
また、前記反射シートは、前記光沢のない白色散乱面と、光沢のある金属的鏡面とを有することを特徴とするものである。
【０００９】
また、前記反射シートに形成された光散乱領域は、印刷された艶消しの白色散乱面であることを特徴とするものである。
【００１０】
また、前記光源は１個もしくは複数個の白色ＬＥＤであることを特徴とするものである。
【発明の効果】
【００１１】
本発明のバックライト装置は、前記反射シート内で、光源ＬＥＤ近傍の所定の範囲だけ（例えば光源ＬＥＤから３ｍｍ以下）に、光を積極的に散乱させる機能を有する光散乱領域を設けることにより、ＬＥＤの点光源が線光源に変換されて、光は全ての方向に拡散されて、導光板から出射される光は出射面で明るく均一な輝度を示し、光源を起点とする輝線の発生を防止することができるバックライト装置を提供することが可能である。
【発明を実施するための最良の形態】
【００１２】
本発明のパックライト装置について、図面に基づいて説明する。
【実施例】
【００１３】
図１〜図４は、本発明の実施例に係わり、図１は、バックライト装置の断面図、図２は、図１の反射シートの平面図、図３は、図１のＬＥＤ近傍の光路を示す断面図、図４は、図１の導光板の出射面を示す斜視図である。図１〜図３において、導光板１は、透明なプラスチック部材などよりなる平面が略矩形形状をしており、その一方の広い面を出射面１ａと、該出射面１ａと対向する面には光源ＬＥＤ２からの光を対向する上面に反射させるための放射手段として、その表面全面に、複数の微小なシボまたは点状ドット、または所定の傾斜角を有するプリズムや印刷等の拡散面１ｂを形成する。
【００１４】
また、前記導光板１の出射面１ａ側に、プリズムシート３を配設する。該プリズムシート３は、片面に複数のマイクロプリズム３ａがシートの一辺に平行に形成されている輝度上昇フイルムとしてのプリズムシートである。該プリズムシート３は表示パネルに対応した大きさで、プリズムの凸部が導光板１側に向くように配設されている。以上は従来技術と同様である。
【００１５】
前記導光板１の光拡散面１ｂに接近して、光源ＬＥＤ２近傍の所定の範囲（Ｌ）、例えばＬＥＤ２から３ｍｍ以下に、光を散乱させる機能を有する光散乱領域４ａを設けた反射シート４を配設する。前記反射シート４に形成された光散乱領域４ａは、印刷された艶消しの白色散乱面である。従って、前記反射シート４は、前記光沢のない白色の光散乱領域４ａ（白色散乱面）と、光沢のある金属的鏡面４ｂとを有するものである。
【００１６】
光源ＬＥＤ２は、１個もしくは複数個の白色ＬＥＤを使用し、光源ＬＥＤ２から出射される光は、前記導光板１に入射し、導光板１から出射する光の内、光源ＬＥＤ２付近で且つ反射シート４側に出射した光は、反射シート４に設けられた光散乱領域４aで全ての方向に散乱され、散乱面を源と見なす光源になる。それ以外の光は、導光板１内で反射を繰り返して伝播される。導光板１の底に設けられた光拡散面１ｂで反射もしくは屈折した光が導光板１の出射面１ａから出射される。さらに、前記拡散面１ｂを透過した光は、前記反射シート４の金属的鏡面４ｂで反射して、導光板１の出射面１ａより出射され、前記プリズムシート３を通過するときマイクロプリズム３ａ（プリズム面）で全反射して輝度が上昇する。プリズムシート３から出射した光は、図示しない液晶パネルへと向かい液晶パネルを照明する。
【００１７】
上述したように、本発明のバックライト装置は、反射シートに設けられた光散乱領域が帯状になっているので、図４に示すように、光源ＬＥＤ近傍の輝度ムラはなくなり、バックライトを斜視したときに、光源ＬＥＤ付近にも光が散乱して、光源ＬＥＤを起点とする輝線の発生を防止することできる。
【図面の簡単な説明】
【００１８】
【図１】本発明の実施例に係わるバックライト装置の断面図である。
【図２】図１の反射シートの平面図である。
【図３】図１のＬＥＤ近傍の光路を示す断面図である。
【図４】図１の導光板の出射面を示す斜視図である。
【図５】従来の導光板の短辺にＬＥＤを配設した状態の平面図である。
【図６】従来のバックライト装置の断面図である。
【図７】図６の反射シートの平面図である。
【図８】図６のＬＥＤ近傍の光路を示す断面図である。
【図９】図５の導光板の出射面を示す斜視図である。
【符号の説明】
【００１９】
１  導光板
１ａ  出射面
１ｂ  拡散面
２  光源ＬＥＤ
３  プリズムシート
３ａ  マイクロプリズム
４  反射シート
４ａ  光散乱領域
４ｂ  金属的鏡面
【図１】
2005317474.tif 000003
【図２】
2005317474.tif 000004
【図３】
2005317474.tif 000005
【図４】
2005317474.tif 000006
【図５】
2005317474.tif 000007
【図６】
2005317474.tif 000008
【図７】
2005317474.tif 000009
【図８】
2005317474.tif 000010
【図９】
2005317474.tif 000011